(57)【特許請求の範囲】
【請求項１】
開口部装置の枠体の取付フィンに、線状の嵌着部材を嵌着するための嵌着部を設け、前記嵌着部材と嵌着部の間に、防水シートを挟持する構成とするものであり、
前記嵌着部材は弾性を有し、
前記嵌着部材と嵌着部の間に前記防水シートを挟みこむようにして前記嵌着部材を前記嵌着部に嵌着させることで、
前記嵌着部材が前記防水シートとともに前記嵌着部に対して固定されるものであり、
前記嵌着部の内周面と嵌着部材の外周面の間に前記防水シートが挟持される構成とする、
防水シートの固定構造。
【請求項２】
前記嵌着部は、前記開口部装置の枠体の取付フィンにおける周方向に連続して設けられる、
ことを特徴とする請求項１に記載の防水シートの固定構造。
【請求項３】
前記嵌着部材は、無端状に構成される、
ことを特徴とする請求項１又は請求項２に記載の防水シートの固定構造。
【請求項４】
前記嵌着部材は、弾性部材にて構成されており、前記嵌着部に嵌着された後において、取外し可能に構成される、
ことを特徴とする請求項１乃至請求項３のいずれか一項に記載の防水シートの固定構造。
【請求項５】
防水シートよりも室外側において、線状の嵌着部材の位置を開口部装置の枠体の取付フィンに設けた嵌着部の位置に合わせた状態とし、前記嵌着部材と嵌着部の間に前記防水シートを挟みこむようにして前記嵌着部材を室内側へ移動させて、嵌着部材を前記防水シートとともに前記嵌着部へと押し込むことで、前記防水シートを前記取付フィンに固定する、防水シートの固定方法であり、
前記嵌着部若しくは前記嵌着部材の少なくとも一方に、弾性を有し、
前記嵌着部は、前記開口部装置の枠体の取付フィンにおける周方向に連続して設けられ、
前記嵌着部材は、無端状に構成され、
前記嵌着部材は、弾性部材にて構成されており、前記嵌着部に嵌着された後において、取外し可能に構成される、
防水シートの固定方法。
【請求項６】
請求項１乃至請求項４のいずれか一項に記載の防水シートの固定構造を有する、
ことを特徴とする、開口部装置の枠体。
【発明の詳細な説明】
【技術分野】
【０００１】
本発明は、建物外装材よりも室内側に設けられる防水シートに関するものであり、より詳しくは、建物開口部に設けられる開口部装置との関係での防水シートの固定構造に関する。
【背景技術】
【０００２】
従来、建物の外壁構造において、外装材とそれよりも室内側に設けられる断熱材などの間に通気空間を設けて空気を流通させる通気構造が知られている。そして、この通気構造においては、外装材と断熱材との間に防水シートを設け、この防水シートを境として室内側への水の浸入を防止する構成が知られており、この防水シートを設けた構造について開示する文献も存在する（例えば、特許文献１参照。）。
【０００３】
特許文献１で開示される技術では、サッシ枠の外周縁部（取付フィン）の室外側の表面に防水テープを張付し、さらに、この防水テープの室外側の粘着面の上から防水シートの端部を重ね合わせることで、防水シートの端部をサッシ枠に対して固定し、サッシ枠の周囲における防水を確保することとしている（特許文献１の図４参照。）。
【０００４】
また、この特許文献１に開示されるようなサッシ枠の外周縁部は、躯体側に固定される取付フィンとして機能するものであり、釘やビス等の固着具を取付フィンの室外側面から間柱等に螺挿することで、サッシ枠が躯体側に固定される構成としている。
【０００５】
また、この特許文献１に開示されるような防水テープを用いた防水シートの固定については、一般的に図１４に示す手順により行われる。まず、図１４（ａ）に示すごとく、間柱（又は柱）９１・９２、まぐさ９３、窓台９４にて形成される開口部に、サッシ９０の取付フィン９０ａ・９０ｂ・９０ｃ・９０ｄを釘やビス等の固着具９５・９５にて固定した状態とし、まずは、サッシ９０の下枠にある取付フィン９０ａに対し、防水テープ９６ａを張り付ける。この防水テープ９６ａは、その両面に粘着面が形成されるものであり、まずは、裏側の離型紙のみを剥がすことで、取付フィン９０ａに張り付けられる。
【０００６】
次に、図１４（ｂ）に示すごとく、左右の縦方向の取付フィン９０ｂ・９０ｃについて、防水テープ９６ｂ・９６ｃを張り付ける。この際、防水テープ９６ｂ・９６ｃの端部は、下側の防水テープ９６ａを跨ぐようにして、下側の防水テープ９６ａよりも下方へ配置されることとされる。
【０００７】
次に、図１４（ｃ）に示すごとく、サッシ９０の上枠の部位にある取付フィン９０ｄに対し、防水テープ９６ｄを張り付ける。この際、防水テープ９６ｄの左右端部は、防水テープ９６ｂ・９６ｃの上端を跨ぐようにして、防水テープ９６ｂ・９６ｃよりも外側へ張り出すように配置されることとされる。このような施工手順は、水が上から下へ移動することに鑑みたものであり、例えば、防水テープ９６ｂ・９６ｃの端部は、防水テープ９６ｄが上から覆い被されるため、防水テープ９６ｂ・９６ｃの端部の裏面からの水の浸入が防止できるようになる。
【０００８】
そして、図１４（ｃ）に示すごとく、このようにして防水テープ９６ａ・９６ｂ・９６ｃ・９６ｄをサッシ９０の周りに張り付けた後に、各防水テープの離型紙を剥がし、その上から防水シート９７の端部９７ａの張り付けが行われる。防水シート９７を張り付けた後に、ローラなどによって、防水シート９７の端部９７ａを防水テープ９６ａ等に対して圧着させる。
【特許文献１】特開２００３−３２８６５０号公報
【発明の開示】
【発明が解決しようとする課題】
【０００９】
しかし、図１４に示すような従来の方法では、図１４（ａ）の部分拡大図に示すごとく、釘やビス等の固着具９５の上から防水テープ９６ａを被せるようにして、防水テープ９６ａが取付フィン９０ａに張り付けられることとすると、この固着具９５の周囲において防水テープ９６ａが盛り上がって隙間が形成されることになり、この隙間からの漏水９８の発生が懸念される。
【００１０】
また、防水テープの施工手順は、上から下への水の移動を考慮して、図１４（ａ）から（ｃ）の手順で進めることで、各防水テープの端部の重ね合わせを前述のような規定の形態とする必要があり、施工手順に制約があった。また、この施工手順に従わない場合、例えば、上側の防水テープ９６ｄを先に張り付けてしまうと、後から重ねられる防水テープ９６ｂ・９６ｃの裏面と、防水テープ９６ｄの表面の間からの水の浸入や、防水テープ９６ｂ・９６ｃの剥がれといった問題が生じ得る。
【００１１】
また、このように施工手順に制約があると、防水テープの張り付け手順を間違った際には、そのやり直しが必要となるが、一度張り付けた防水テープを剥がすと、その粘着質が取付フィンの表面に残留してしまうことが懸念され、その残留物によって、次に張り付けられる防水テープと取付フィンの間に隙間が形成されることや、接着不良の発生などが懸念される。
【００１２】
また、防水テープの粘着質と、防水シートの相性も考慮する必要がある。即ち、粘着質の組成や、防水シートのコーティングの組成などから、互いの接着性が十分でない場合には、経年によって防水シートが剥がれることが懸念される。また、粘着質との関係で防水シートが変質し、皺の発生や、劣化といった不具合も懸念される。
【００１３】
さらに、大型のサッシについては、取付フィンの寸法が大きくなるため、防水テープを水平、垂直に張り付けることは難しく、作業者によってバラツキが生じることになる。また、離型紙を剥がした状態でその上から防水シートが張り付けられることになるが、意図せずして防水シートの端部が防水テープに張り付いてしまうといった不具合も生じることになる。そして、張り付いてしまった防水シートを剥がす必要が生じるが、防水テープの粘着性が悪化するという問題を招いてしまう。また、防水テープの粘着質が間柱等の他の部位や、作業者の手などに付着して、これらを汚してしまうという不具合も生じ得る。
【００１４】
以上のように、従来の構成では、漏水の発生の懸念といった機能的な課題や、施工性の課題が残っている。そこで、本発明では、防水テープを利用せずに、防水シートの固定を行うこととする新規な技術を提案するものである。
【課題を解決するための手段】
【００１５】
本発明の解決しようとする課題は以上の如くであり、次にこの課題を解決するための手段を説明する。
【００１６】
即ち、請求項１に記載のごとく、
開口部装置の枠体の取付フィンに、線状の嵌着部材を嵌着するための嵌着部を設け、前記嵌着部材と嵌着部の間に、防水シートを挟持する構成とするものであり、
前記嵌着部材は弾性を有し、
前記嵌着部材と嵌着部の間に前記防水シートを挟みこむようにして前記嵌着部材を前記嵌着部に嵌着させることで、
前記嵌着部材が前記防水シートとともに前記嵌着部に対して固定されるものであり、
前記嵌着部の内周面と嵌着部材の外周面の間に前記防水シートが挟持される構成とする、
防水シートの固定構造とする。
【００１７】
また、請求項２に記載のごとく、
前記嵌着部は、前記開口部装置の枠体の取付フィンにおける周方向に連続して設けられることとする。
【００１８】
また、請求項３に記載のごとく、
前記嵌着部材は、無端状に構成されることとするものである。
【００１９】
また、請求項４に記載のごとく、
前記嵌着部材は、弾性部材にて構成されており、前記嵌着部に嵌着された後において、取外し可能に構成されることとするものである。
【００２０】
また、請求項５に記載のごとく、
防水シートよりも室外側において、線状の嵌着部材の位置を開口部装置の枠体の取付フィンに設けた嵌着部の位置に合わせた状態とし、前記嵌着部材と嵌着部の間に前記防水シートを挟みこむようにして前記嵌着部材を室内側へ移動させて、嵌着部材を前記防水シートとともに前記嵌着部へと押し込むことで、前記防水シートを前記取付フィンに固定する、防水シートの固定方法であり、
前記嵌着部若しくは前記嵌着部材の少なくとも一方に、弾性を有し、
前記嵌着部は、前記開口部装置の枠体の取付フィンにおける周方向に連続して設けられ、
前記嵌着部材は、無端状に構成され、
前記嵌着部材は、弾性部材にて構成されており、前記嵌着部に嵌着された後において、取外し可能に構成される、
防水シートの固定方法とする。
【００２１】
また、請求項６に記載のごとく、
請求項１乃至請求項４のいずれか一項に記載の防水シートの固定構造を有する、
ことを特徴とする、開口部装置の枠体とする。
【発明の効果】
【００２２】
本発明の効果として、以下に示すような効果を奏する。
【００２３】
即ち、請求項１に記載の発明においては、
嵌着部材を防水シートとともに嵌着部に嵌着させるだけで、防水シートを取付フィンに対して容易に固定することができ、施工性が良好なものとなる。
また、各枠に対する防水シートの固定の順序に制約がなく、防水シートの固定のやり直しができるため、防水シートの施工に関連する施工管理の手間を軽減することが可能となる。また、防水テープを張り付ける作業が不要となるため、例えば、防水テープの張り方のバラツキや、防水テープと防水シートの接着性の問題など、この防水テープに起因する不具合の発生もない。さらに、この防水シートの固定については、いずれの作業者によっても画一的な施工が行われるため、施工終了後においては規定の止水性を確保できることになる。
【００２４】
また、請求項２に記載の発明においては、
取付フィンの周方向の各箇所において、防水シートの固定を実現することができ、取付フィンの周方向の各箇所において止水性を確保することができる。
【００２５】
また、請求項３に記載の発明においては、
取付フィンに対する防水シートの固定について、途切れることのない、連続した固定が行われ、取付フィンの周方向の各箇所において止水性を確保することができる。
【００２６】
また、請求項４に記載の発明においては、
防水シートの固定のやり直しができるため、防水シートの施工に関連する施工管理の手間を軽減することが可能となる。
【００２７】
また、請求項５に記載の発明においては、
防水シートを容易に固定することができ、施工性が良好なものとなる。
【００２８】
また、請求項６に記載の発明においては、
防水シートを容易に固定することができ、施工性が良好なものとなる。
【発明を実施するための最良の形態】
【００２９】
次に、発明の実施の形態を説明する。
【実施例１】
【００３０】
本実施例では、図１に示すごとく、サッシ枠２（上枠５）の取付フィン２０に、線状の嵌着部材３を嵌着するための嵌着部２１を設け、前記嵌着部材３と嵌着部２１の間に、防水シート１を挟持する構成とするものである。
【００３１】
図１に示す例では、開口部装置としてのサッシのサッシ枠２は、間柱１４やまぐさ１５などによって囲まれて形成される建物開口部に収容され、サッシ枠２の外周部に設けた取付フィン２０の部位が、ビス６・６によって間柱１４やまぐさ１５などの躯体側に固定される。
【００３２】
また、図２はサッシ枠２の上枠５の部分拡大図を示すものであり、取付フィン２０の室内側面２０ａをまぐさ１５に対して当着させた状態で、取付フィン２０がビス６にてまぐさ１５に固定された状態が示されている。
【００３３】
また、図２に示すごとく、上枠５は、断面視において室内外方向の水平面を形成する外周面構成部２ａを有し、この外周面構成部２ａの室内側の箇所に、取付フィン２０が外方に向けて突出するように設けられている。また、外周面構成部２ａの室内外方向の中途部には、化粧部材３０の取付部３１を収容するための化粧部材被取付部２ｂが設けられている。この化粧部材被取付部２ｂは、外装材１０の端部１０ａと対向するように配置されており、化粧部材被取付部２ｂと外装材１０の端部１０ａとの間に、シーリング部材４０が挟装されるようになっている。
【００３４】
また、図２に示すごとく、化粧部材３０は、化粧部材被取付部２ｂに取り付けられた状態において、外装部３２にて室外側からシーリング部材４０、及び、外装材１０の端部１０ａが見えないようにするために、これらを覆い隠すように構成されている。また、化粧部材３０の外装部３２と外装材１０の間には、シーリング部材５０が挟装される構成としている。
【００３５】
また、図２に示すごとく、取付フィン２０の室外側面２０ｂには、室外側に開口２１ａが配置される断面視略Ｃ字状の嵌着部２１が設けられている。この嵌着部２１は、図１に示すごとく、上枠５、右縦枠７などの取付フィン２０に沿って連続的に設けられるものであり、サッシ枠２の取付フィン２０における周方向に連続して設けられるようになっている。また、図２に示すごとく、嵌着部２１は、取付フィン２０から室外側に突出する脚部２２を介して取付フィン２０に設けられるようになっている。
【００３６】
また、図２に示すごとく、取付フィン２０よりも室外側には、防水シート１の端部１ａが配置され、この端部１ａの部位が、取付フィン２０に設けられる嵌着部２１と線状の嵌着部材３の間に挟持されて固定されるようになっている。
【００３７】
この嵌着部材３による防水シート１の端部１ａの固定は、図３に示すようにして行われる。まず、図３（ａ）に示すごとく、取付フィン２０よりも室外側において、防水シート１の端部１ａが垂らされた状態とする。また、端部１ａによって嵌着部２１の室外側が覆い隠されるように、防水シート１の下端１ｂが嵌着部２１よりも下方に配置されるようにする。
【００３８】
次に、図３（ｂ）に示すごとく、防水シート１よりも室外側において、線状の嵌着部材３の上下位置を嵌着部２１の開口２１ａの位置に合わせた状態とし、嵌着部材３を室内側へ移動させることで、嵌着部材３を防水シート１とともに開口２１ａから収容部２１ｂ内へと押し込む。収容部２１ｂは、断面視において略円形の中空部を形成しており、押し込まれた嵌着部材３が収容部２１ｂに囲まれて嵌着される。ここで、本実施例の嵌着部材３は、円形断面を有する線状の弾性部材であって、前記収容部２１ｂの内径と略同一の外径を有することとしており、開口２１ａを通過する際には、弾性変形により断面が楕円となって、開口２１ａの通過が許容されるようになっている。また、嵌着部材３は円形断面とするほか、三角、四角、六角形、Ｖ字型などの他の断面形状としてもよい。なお、嵌着部材３の素材は、ゴム、樹脂系発泡材など、弾性を有するものであれば、特に限定されるものではない。また、嵌着部材３は、例えば、断面形状を略Ｃ字状、略Ｖ字状などとする不連続部分を有する金属にて構成し、不連続部分を狭めるように押えながら前記開口２１ａを通過させ、収容部２１ｂに収容後には、金属によるバネ性質（弾性部材として機能する性質）によって復帰させることで固定される形態としてもよい。また、弾性復帰に時間がかかる素材、即ち、嵌着部２１に挿入された時点においては、嵌着部材３と収容部２１ｂの間に隙間が形成されるが、時間の経過によって膨張し、後に隙間がなくなるような素材であってもよい。また、このように嵌着部材３を弾性部材にて構成することにより、後述するように、前記嵌着部２１に嵌着された後においての取外しが可能となる。
【００３９】
そして、図３（ｃ）に示すごとく、嵌着部２１に嵌着部材３が嵌着された状態では、嵌着部２１の内周面と嵌着部材３の外周面の間に防水シート１が挟持されることにより、防水シート１が取付フィン２０に対して固定される。
【００４０】
以上のようにして、図２に示すごとく、外装材１０と防水シート１の間に通気層６０が形成されるとともに、防水シート１より室内側への水の浸入が防水シート１によって遮断されることになる。なお、防水シート１については、透湿性を有するもののほか、透湿性のないアスファルトフェルトなどであってもよい。
【００４１】
そして、以上の構成によれば、図２に示すごとく、嵌着部材３を防水シート１とともに嵌着部２１に嵌着させるだけで、防水シート１を取付フィン２０に対して容易に固定することができ、施工性が良好なものとなる。また、以上の説明では、サッシ枠２の上枠５についての防水シート１の固定を説明したが、図４に示すごとく、左右の縦枠７・８、及び、下枠９についても同様に嵌着部２１を形成することで、各枠の取付フィン２０に対して防水シートを固定することが可能となり、サッシ枠の周方向の各箇所において、防水シートを容易に固定することができ、施工性が良好なものとなる。また、これにより、良好な止水性を確保することができる。
【００４２】
また、以上の構成においては、各枠に対する防水シートの固定の順序に制約がなく、防水シートの固定のやり直しができるため、防水シートの施工に関連する施工管理の手間を軽減することが可能となる。また、防水テープを張り付ける作業が不要となるため、例えば、防水テープの張り方のバラツキや、防水テープと防水シートの接着性の問題など、この防水テープに起因する不具合の発生もない。さらに、この防水シートの固定については、いずれの作業者によっても画一的な施工が行われるため、施工終了後においては規定の止水性を確保できることになる。
【００４３】
また、防水シートの施工後において、防水シートの室外側面に放水するなどして、その防水機能を検査するための試験が行われることも想定される。このような試験の実施を想定した場合、従来の防水テープによる固定構造において、仮に漏水などが発生した場合には、防水シート、及び、防水テープの張り直しの作業が必要となり、防水テープの粘着質の取付フィンへの残留や、その除去の作業など、張り直しの作業が大変なものとなるが、本実施例によるものでは、嵌着部材を取外した後に、再度嵌着させるという簡易な作業で済むため、このような検査時における対応が容易なものとなる。また、このような検査の対応が容易になることから、数度にわたって検査を実施し、その性能評価をすることも可能となり、より信頼性の高い検査を実施することが可能となる。
【００４４】
また、図１に示すごとく、上枠５と右縦枠７のコーナー部１２には、前記各枠５・７の直線部に設けられる直線状の嵌着部２１・２１を連続的に繋ぐための、円弧状の湾曲部１２１ａを有するコーナー部用嵌着部１２１が設けられる構成としている。このコーナー部用嵌着部１２１は、図５（ａ）及び図６（ａ）に示すごとく、板状のベース部１２２の表面に設けられ、上枠５、右縦枠７の嵌着部２１と同様の略Ｃ字状の断面を有し、これにより断面視略円形の連続した収容部１２１ｂが形成されている。また、収容部１２１ｂは湾曲部１２１ａにおいてなだらなかに湾曲して、延長線が互いに直交し合う関係にある上枠５・右縦枠７の取付フィン２０に形成される嵌着部２１・２１の収容部２１ｂが、湾曲部１２１ａの収容部１２１ｂを介して繋げられるようになっている。
【００４５】
また、図６（ｃ）に示すごとく、前記ベース部１２２は、その裏面の接着面１２２ａが、例えば、右縦枠７の表面７ａに張設される。この接着面１２２ａは、表面７ａとの間で隙間が形成されないように、弾性を有する有意な厚みを形成しているものとすることが望ましい。また、右縦枠７においてベース部１２２が張設される箇所には、段差部７ｂを設けるなどにより、ベース部１２２の位置決めを行えることとしてもよい。
【００４６】
また、図５（ａ）及び図６（ｃ）に示すごとく、上枠５、右縦枠７は、アルミや樹脂などで構成されるが、コーナー部用嵌着部１２１についても、これらの枠と同一の素材で構成するほか、例えば、枠をアルミとする一方で、コーナー部用嵌着部１２１については、樹脂にて構成することとしてもよい。
【００４７】
また、図５（ａ）及び図６（ｃ）に示すごとく、コーナー部用嵌着部１２１を別部材で設ける利点として、例えば、上枠５、右縦枠７をアルミ押し出し成型にて構成する場合には、仮に、コーナー部用嵌着部１２１についてもアルミにて構成すると、湾曲部１２１ａを有する複雑な形状となるため、削り出しや、プレス成型など、押し出し成型とは異なる成型法を採用することが必要となり、製作コストや生産性が悪化するものとなる。この点、例えば、コーナー部用嵌着部１２１についてのみ、樹脂にて成型することによれば、コーナー部用嵌着部１２１をもアルミにて成型する場合と比較して、製作コストや生産性においてメリットが得られることになる。
【００４８】
また、図６（ｂ）（ｃ）に示すごとく、コーナー部用嵌着部１２１の端部において、上枠５、右縦枠７の嵌着部２１・２１の収容部２１ｂ・２１ｂにそれぞれ挿入される挿入部１２１ｃ・１２１ｄを設けることによれば、コーナー部用嵌着部１２１の嵌着部２１に対する位置決めを行うことが可能となる。
【００４９】
また、図５（ａ）及び図６（ｃ）に示すごとく、ベース部１２２において、上枠５と右縦枠７の接合部２７（図５（ａ）参照）を覆うための略Ｌ字状の蓋部１２７を設けることとしてもよい。そして、図５（ａ）に示すごとく、この蓋部１２７によって接合部２７を上方から覆うことによれば、接合部２７からの水の浸入を防止することができ、コーナー部用嵌着部１２１によってサッシ枠の接合部における止水性を補強することが可能となる。
【００５０】
以上のようにして、図５（ｂ）に示すごとく、コーナー部１２において、嵌着部材３による防水シート１の固定が行われる。また、図７に示すごとく、サッシ枠２の取付フィン２０の全周にわたり、嵌着部２１及びコーナー部用嵌着部１２１にて構成される連続した嵌着部が形成される。このように連続した嵌着部を形成することにより、取付フィン２０の周方向の各箇所において、防水シート１の固定が実現され、取付フィン２０の周方向の各箇所において止水性を確保することができる。そして、防水シート１を下側から順に張り合わせていき、防水シート１によってサッシ枠２を取り囲んだ後に、嵌着部材３を嵌着部２１、コーナー部用嵌着部１２１に押し込むことで、図５（ｂ）に示すごとく、嵌着部材３によって防水シート１が嵌着部２１、コーナー部用嵌着部１２１に埋め込まれるようにして固定される。
【００５１】
また、図７に示すごとく、嵌着部材３については、無端状に構成し、取付フィン２０に対する防水シート１の固定について、途切れることのない、連続した固定を行い、止水性を確保することが望ましい。特に、嵌着部材３の素材を弾性部材とする例においては、経年変化により、収縮することが懸念されることから、無端の線状の部材にて構成し、仮に収縮が生じた場合でも、防水シート１の固定箇所が途切れることがないようにすることが望ましい。なお、嵌着部材３の形状の説明に関し、線状には、棒状、紐状といった概念も含むものとする。
【００５２】
なお、図８に示すごとく、サッシ枠２が固定される開口部において、サッシ枠２の下部に先張りシート１Ｂ（防水シート）が施工される場合には、取付フィン２０の裏側に先張りシート１Ｂが配置されることになる。そして、この場合、先張りシート１Ｂの裏側に防水シート１Ａが配置されることになるため、この防水シート１Ａについては、嵌着部材３によることなく、他の手段によって取付フィン２０以外の部位に固定することし、他の防水シート１については、取付フィン２０に対し嵌合部材３を用いて固定することができる。このように、先張りシート１Ｂが施工される場合についても、前述の構成を適用することが可能である。なお、この図８のような構成の場合、サッシ枠２の下枠を構成する部位における取付フィン２０について嵌着部を省略し、嵌合部材について無端状ではなく、端部を有する単なる線状のものに構成することとしてもよい。
【実施例２】
【００５３】
図９（ａ）〜（ｃ）に示すごとく、本実施例においては、上枠５の取付フィン２０の嵌着部２１Ａとして、室外側に略円形の断面を構成する嵌入凸部２２Ａが設けられ、この嵌入凸部２２Ａに略Ｃ字状の断面を有する線状の嵌着部材３Ａを取り付ける構成とするものである。この例では、嵌着部材３Ａによって、防水シート１の端部１ａを包み込むようにして、嵌着部材３Ａと嵌着部２１Ａの間にて防水シート１を挟持し、防水シート１を取付フィン２０に対して固定するものである。
【００５４】
また、図９（ａ）に示すごとく、前記嵌着部２１Ａは、取付フィン２０から室外側に突出する脚部２３を介して取付フィン２０に対して設けられるようになっている。また、嵌着部材３Ａは、無端の線状の弾性部材にて構成されており、実施例１で説明した嵌着部材と同様の素材を適用することができる。また、図９（ｂ）に示すごとく、嵌着部材３Ａは、その室内側に嵌入凸部２２Ａよりも外径よりも幅の狭い開口３ａを有する略Ｃ字状の収容部３ｂを有し、開口３ａから防水シート１及び嵌入凸部２２Ａを収容部３ｂに挿入すると、図９（ｃ）に示すごとく、防水シート１にて嵌着部２１Ａを包み込むように、嵌着部材３Ａが嵌入凸部２２Ａに嵌着させる。
【００５５】
また、図１０に示すごとく、嵌着部２１Ａは、上枠５Ａの他、下枠６Ａ、左右の縦枠７Ａ・８Ａについてもそれぞれ設けられ、サッシ枠における周方向に連続して設けられるようになっている。
【００５６】
また、図１１（ａ）〜（ｃ）は、上枠５Ａと右縦枠７Ａのコーナー部に設けられ、連続した嵌着部２１Ａを形成するためのコーナー部用嵌着部１２１Ａの構成について示すものである。このコーナー部用嵌着部１２１Ａは、ベース部１２２Ｂ上に湾曲部１２１Ａａを有する連続した嵌入凸部１２２Ａを形成した構成としており、延長線が互いに直交し合う関係にある上枠５Ａ・右縦枠７Ａの嵌着部２１Ａ・２１Ａの嵌入凸部２２Ａ・２２Ａが、湾曲部１２１Ａａの嵌入凸部１２２Ａを介して繋げられるようになっている。また、このコーナー部用嵌着部１２１Ａは、上枠５Ａ、右縦枠７Ａと別部材に構成され、また、略Ｌ字状の蓋部１２７Ａも有する構成とすることができ、これにより、実施例１と同様の効果を呈することができるようになっている。
【００５７】
また、図１１（ｃ）に示すごとく、コーナー部用嵌着部１２１Ａにおいて、外表面を長手方向に延長した延長部１２１Ａｂ・１２１Ａｃを設けるとともに、上枠５Ａ・右縦枠７Ａの嵌着部２１Ａ・２１Ａの端部２１Ａｂ・２１Ａｃの一部を切り欠くことで、端部２１Ａｂ・２１Ａｃに前記延長部１２１Ａｂ・１２１Ａｃを被せる構成とすることによれば、コーナー部用嵌着部１２１Ａの嵌着部２１Ａに対する位置決めを行うことができる。その他の構成については、実施例１と同様であり、説明を省略する。
【実施例３】
【００５８】
本実施例３は、図１２（ａ）に示すごとく、嵌着部２１Ｂを、取付フィン２０と別体に設けた構成とするものである。即ち、嵌着部２１Ｂに固定脚部２２Ｂを設け、この固定脚部２２Ｂを取付フィン２０に設けた取付固定部２０ｋに固定する構成とするものである。この構成によれば、嵌着部２１Ｂについて、取付フィン２０とは別の設計を行うことができ、嵌着部２１Ｂについての設計の自由度を広げることが可能となる。また、嵌着部２１Ｂについては、嵌着部材３と同様に線状の無端体であって、ゴムや樹脂などの弾性部材にて構成することもできる。取付フィン２０側の取付固定部２０ｋについては、取付フィン２０の室外側面２０ｂに溝などによって形成することが可能である。なお、取付固定部２０ｋについては、止水性の観点から、取付フィン２０を貫通しない構成とすることが望ましい。
【実施例４】
【００５９】
本実施例４では、図１３（ａ）に示すごとく、取付フィン２０Ａの室外側面２０Ａｂに、サッシ枠２の周方向（図１３の紙面と直交する方向）に延びる溝状の嵌着部２１Ｃが、室外側面２０Ａｂから窪ませるようにして設けられ、前記嵌着部２１Ｃに嵌着部材３Ｃが嵌着されることとし、前記嵌着部材３Ｃと前記嵌着部２１Ｃの間にて防水シート１が挟持されることで、防水シート１を取付フィン２０Ａに対して固定するものである。この構成によっても、前述の他の実施例と同様の効果を得ることができる。なお、本実施例で特徴的な構成は、溝状の嵌着部２１Ｃが、サッシ枠２における周方向に連続して形設されていることであり、嵌着部材３Ｃを無端の線状の弾性部材で構成することによれば、取付フィン２０Ａに対する防水シート１の固定について、途切れることのない、連続した固定を行うことができる。また、特に本実施例の場合では、取付フィン２０Ａについて、その厚みを、全体的に、又は、嵌着部２１Ｃの部位について部分的に、他の実施例と比較して大きく構成することにより、嵌着部２１Ｃについて、十分な溝深さを確保することが好適である。
【実施例５】
【００６０】
本実施例５では、図１３（ｂ）に示すごとく、取付フィン２０Ｂの室外側面２０Ｂｂと、サッシ枠２（上枠５）の外周面構成部２ａにて形成される角部２０Ｂａにおいて、前記室外側面２０Ｂｂから突出壁８０ｂ、前記外周面構成部２ａからは突出壁８０ａをそれぞれ形設するとともに、これら突出壁８０ｂ・８０ａを隙間８０ｃを介して対向させる構成とし、前記角部２０Ｂａにおいて、サッシ枠２の周方向（図１３の紙面と直交する方向）に延びる溝状の嵌着部２１Ｄを形設し、前記嵌着部２１Ｄに嵌着部材３Ｄが嵌着されることとし、前記嵌着部材３Ｄと前記嵌着部２１Ｄの間にて防水シート１が挟持されることで、防水シート１を取付フィン２０Ｂに対して固定するものである。この構成によっても、前述の他の実施例と同様の効果を得ることができる。なお、本実施例で特徴的な構成は、溝状の嵌着部２１Ｄが、サッシ枠２における周方向に連続して形設されていることであり、嵌着部材３Ｄを無端の線状の弾性部材で構成することによれば、取付フィン２０Ｂに対する防水シート１の固定について、途切れることのない、連続した固定を行うことができる。
【００６１】
以上が、各実施例についての説明である。
なお、以上の説明中のサッシ枠、外装材、化粧部材などの素材については、特に限定されるものではなく、サッシ枠であればアルミ、樹脂、ＦＲＰなど、外装材であれば窯業、金属など、化粧部材であれば、アルミ、樹脂、ＦＲＰなど、幅広いものが適用できる。また、サッシについても、引き違い窓、固定窓、片開き窓など、あらゆる形態のものが想定される。また、サッシの他、ドアや引戸など、建物開口部に設けられるあらゆる開口部装置の枠体（開口部枠体）の取付フィン（柱、間柱などの躯体側に固定される部位）に対する防水シートの固定方法として、本発明は利用可能である。
【００６２】
また、図２に示されるような通気層６０を形成される通気構造のほか、アスファルトフェルトにて構成される防水シートを用い、外装材を防水シートに直張りする構造や、防水シートに塗り材を塗り重ねて塗壁を形成する構造についても、本発明は利用可能である。
【産業上の利用可能性】
【００６３】
サッシの他、ドアや引戸など、建物開口部に設けられるあらゆる開口部装置の枠体の取付フィンに対する防水シートの固定方法として、本発明は利用可能である。
【図面の簡単な説明】
【００６４】
【図１】実施例１の構成の概要を示す斜視図。
【図２】実施例１の上枠の部位における防水シートの固定について示す断面図。
【図３】（ａ）は防水シートを取付フィンの外側に配置した状態について示す図。（ｂ）は嵌着部材を防水シートとともに嵌着部に挿入する状態について示す図。（ｃ）は防水シートを固定した状態について示す図。
【図４】サッシ枠を構成する上枠、左右の縦枠、下枠において、それぞれ実施例１の嵌着部が構成される例について示す図。
【図５】（ａ）はコーナー部における嵌着部の構成について示す図。（ｂ）は嵌着部材にて防水シートを固定した状態について示す図。
【図６】（ａ）は実施例１におけるコーナー部用嵌着部の構成について示す図。（ｂ）は蓋部を設けたコーナー部用嵌着部の構成について示す図。（ｃ）は、コーナー部用嵌着部と上枠、右縦枠のサッシ取付フィンとの関係について示す図。
【図７】無端状に構成される嵌着部材について示す図。
【図８】先張りシートが施工される場合について説明する図。
【図９】（ａ）は実施例２の嵌着部材を利用する際において、取付フィンの外側に配置した状態について示す図。（ｂ）は嵌着部材を防水シートとともに嵌着部に挿入する状態について示す図。（ｃ）は防水シートを固定した状態について示す図。
【図１０】サッシ枠を構成する上枠、左右の縦枠、下枠において、それぞれ実施例２の嵌着部が構成される例について示す図。
【図１１】（ａ）は実施例２におけるコーナー部用嵌着部の構成について示す図。（ｂ）は蓋部を設けたコーナー部用嵌着部の構成について示す図。（ｃ）は、コーナー部用嵌着部と上枠、右縦枠のサッシ取付フィンとの関係について示す図。
【図１２】（ａ）は実施例３における取付フィンと別体の嵌着部の構成について示す図。（ｂ）は実施例３の嵌着部、嵌着部材の取付フィンに対する固定について説明する図。
【図１３】（ａ）は実施例４の嵌着部の構成について示す図。（ｂ）は実施例５の嵌着部の構成について示す図。
【図１４】（ａ）従来の防水テープを用いた防水シートの固定について、下枠に防水テープを張り付けた状態について示す図。（ｂ）は縦枠に防水テープを張り付けた状態について示す図。（ｃ）防水テープの張り付け後における防水シートの固定について示す図。
【符号の説明】
【００６５】
１    防水シート
２    サッシ枠
３    嵌着部材
５    上枠
７    右縦枠
１０    外装材
１２    コーナー部
２０    取付フィン
２１    嵌着部
２２    脚部
３０    化粧部材
４０    シーリング部材
６０    通気層
【図１】
0005220453.tif 000002
【図２】
0005220453.tif 000003
【図３】
0005220453.tif 000004
【図４】
0005220453.tif 000005
【図５】
0005220453.tif 000006
【図６】
0005220453.tif 000007
【図７】
0005220453.tif 000008
【図８】
0005220453.tif 000009
【図９】
0005220453.tif 000010
【図１０】
0005220453.tif 000011
【図１１】
0005220453.tif 000012
【図１２】
0005220453.tif 000013
【図１３】
0005220453.tif 000014
【図１４】
0005220453.tif 000015